(57)【特許請求の範囲】
【請求項１】
レールと踏切板との間に形成された隙間を塞ぐレール隙間充填装置において、
前記隙間に嵌め込まれると共に列車の車輪と接触可能なエアチューブと、前記エアチューブ内に空気を供給する給気手段と、前記給気手段を制御する制御器とを備えていることを特徴とするレール隙間充填装置。
【請求項２】
前記エアチューブ内の空気圧を調整する圧力調整器を備えていることを特徴とする、請求項１に記載のレール隙間充填装置。
【請求項３】
前記制御器により制御される第１弁および第２弁を備え、前記第１弁は、前記圧力調整器から前記エアチューブへの空気の供給と停止とを切り替え、前記第２弁は、前記エアチューブ内の空気の排気と停止とを切り替えることを特徴とする、請求項２に記載のレール隙間充填装置。
【請求項４】
排気手段を備え、前記排気手段は、前記エアチューブ内の空気を前記第２弁を介して強制的に排気することを特徴とする、請求項３に記載のレール隙間充填装置。
【請求項５】
前記制御器により制御される第３弁を備え、前記第３弁は、前記圧力調整器からの前記エアチューブ内への空気の供給と前記エアチューブ内の空気の排気とを切り替えることを特徴とする、請求項２に記載のレール隙間充填装置。
【請求項６】
排気手段を備え、前記排気手段は、前記エアチューブ内の空気を前記第３弁を介して強制的に排気することを特徴とする、請求項５に記載のレール隙間充填装置。
【請求項７】
前記第１弁および前記第２弁は、二方電磁弁からなることを特徴とする、請求項３または４に記載のレール隙間充填装置。
【請求項８】
前記第３弁は、三方電磁弁からなることを特徴とする、請求項５または６に記載のレール隙間充填装置。
【請求項９】
前記給気手段は、コンプレッサーまたは空気ボンベからなることを特徴とする、請求項１から８の何れか１つに記載のレール隙間充填装置。
【請求項１０】
前記排気手段は、吸気ポンプまたは真空ポンプからなることを特徴とする、請求項４または６に記載のレール隙間充填装置。
【請求項１１】
前記エアチューブには、リリーフ弁が取り付けられていることを特徴とする、請求項１から１０の何れか１つに記載のレール隙間充填装置。
【請求項１２】
前記エアチューブの両端上面は、端部に向かって下り斜面に形成されていることを特徴とする、請求項１から１１の何れか１つに記載のレール隙間充填装置。
【請求項１３】
前記エアチューブの側面は、蛇腹状に形成されていることを特徴とする、請求項１から１２の何れか１つに記載のレール隙間充填装置。
【請求項１４】
レールと踏切板との間に形成された隙間に嵌め込まれるエアチューブと、前記エアチューブ内に空気を供給する給気手段と、前記エアチューブ内の空気を排気する排気手段とを有するレール隙間充填装置を備えたことを特徴とする踏切。
【請求項１５】
レールと踏切板との間に形成された隙間に嵌め込まれると共に列車の車輪と接触可能なエアチューブと、前記エアチューブ内に空気を供給する給気手段と、前記エアチューブ内の空気を排気する排気手段とを有するレール隙間充填装置と、遮断機とを備えたことを特徴とする踏切。
【請求項１６】
前記遮断機が上がっている間は、前記給気手段により前記エアチューブが膨らみ、前記遮断機が下りている間は、前記排気手段により前記エアチューブ内の空気が排気されて、前記エアチューブが収縮することを特徴とする、請求項１５に記載の踏切。
【請求項１７】
前記給気手段は、コンプレッサーまたは空気ボンベからなることを特徴とする、請求項１４から１６の何れか１つに記載の踏切。
【請求項１８】
前記排気手段は、吸気ポンプまたは真空ポンプからなることを特徴とする、請求項１４から１６の何れか１つに記載の踏切。
【発明の詳細な説明】
【技術分野】
【０００１】
この発明は、レール隙間充填装置および踏切、特に、踏切を通行する歩行者の靴の踵や車椅子等の車輪がレールと踏切板との間に形成された隙間に嵌まり込むことを確実に防止することができるレール間隔充填装置、および、このレール間隔充填装置を備えた踏切に関するものである。
【背景技術】
【０００２】
通常、踏切においては、列車車輪のフランジの通過を確保するために、図１６に示すように、レール２と踏切板３との間に隙間（Ｓ）が形成されている。
【０００３】
このように、レール２と踏切板３との間に隙間（Ｓ）が形成されていると、隙間（Ｓ）に、踏切を通行する歩行者の靴の踵や車椅子等の車輪が嵌まり込んで、思わぬ怪我や事故につながるおそれがあった。特に、車椅子等の車輪の隙間（Ｓ）への嵌まり込みは、同図に示すように、道路がレール２に対して斜めに横切る踏切において起こりやすかった。
【０００４】
そこで、従来、レール２と踏切板３との間に形成された隙間（Ｓ）にレール隙間充填部材を嵌め込んで、隙間（Ｓ）を塞ぐことが提案されている。
【０００５】
レール隙間充填部材の一例が特許文献１、２に開示されている。以下、これらのレール隙間充填部材を従来充填部材という。
【先行技術文献】
【特許文献】
【０００６】
【特許文献１】特開２００１−２５４３０３号公報
【特許文献２】特開２０１２−１８４５７０号公報
【発明の概要】
【発明が解決しようとする課題】
【０００７】
従来充填部材は、硬質ゴム等の弾性材を、レール２と踏切板３との間に形成された隙間（Ｓ）に嵌め込むことができるような形状に成形したものからなっている。
【０００８】
従来充填部材によれば、これをレール２と踏切板３との間に形成された隙間（Ｓ）に嵌め込むことによって、隙間（Ｓ）を塞ぐことができるので、踏切を通行する歩行者の靴の踵や車椅子等の車輪が隙間（Ｓ）に嵌まり込むことを未然に防止することができる。
【０００９】
しかし、従来充填部材は、硬質ゴム等の弾性材からなっているので、列車通過時の列車車輪のフランジとの繰返しの接触による摩耗や損傷のおそれがあった。特に、列車が高速度で通過する際には、列車に影響することが懸念される。
【００１０】
これは、ゴム材の粘弾性によるものと考えられ、同じ変形量で比較すると、変形速度が速いほど粘性に起因する損失ばね定数が増加し、弾性に起因する貯蔵ばね定数と合わせた絶対ばね定数が高くなり、列車通過時のゴム材による反発が高まるためと考えられる。
【００１１】
従って、この発明の目的は、レールと踏切板との間に形成された隙間を確実に塞ぐことができ、しかも、列車通過時の列車車輪のフランジによる摩耗や損傷のおそれを回避することができる、エアチューブを備えたレール隙間充填装置、および、このレール隙間充填装置を備えた踏切、すなわち、遮断機が上がっている間は、エアチューブを膨らませて、レールと踏切板との間に形成された隙間を確実に塞ぐことができ、一方、遮断機が下りている間は、エアチューブを収縮させて、列車通過時の列車車輪のフランジとの繰返しの接触によるエアチューブの摩耗や損傷のおそれを回避することができる、レール隙間充填装置を備えた踏切を提供することにある。
【課題を解決するための手段】
【００１２】
この発明は、上記目的を達成するためになされたものであり、下記を特徴とするものである。
【００１３】
請求項１に記載の発明は、レールと踏切板との間に形成された隙間を塞ぐレール隙間充填装置において、前記隙間に嵌め込まれると共に列車の車輪と接触可能なエアチューブと、前記エアチューブ内に空気を供給する給気手段と、前記給気手段を制御する制御器とを備えていることに特徴を有するものである。
【００１４】
請求項２に記載の発明は、請求項１に記載の発明において、前記エアチューブ内の空気圧を調整する圧力調整器を備えていることに特徴を有するものである。
【００１５】
請求項３に記載の発明は、請求項２に記載の発明において、前記制御器により制御される第１弁および第２弁を備え、前記第１弁は、前記圧力調整器から前記エアチューブへの空気の供給と停止とを切り替え、前記第２弁は、前記エアチューブ内の空気の排気と停止とを切り替えることに特徴を有するものである。
【００１６】
請求項４に記載の発明は、請求項３に記載の発明において、排気手段を備え、前記排気手段は、前記エアチューブ内の空気を前記第２弁を介して強制的に排気することに特徴を有するものである。
【００１７】
請求項５に記載の発明は、請求項２に記載の発明において、前記制御器により制御される第３弁を備え、前記第３弁は、前記圧力調整器からの前記エアチューブ内への空気の供給と前記エアチューブ内の空気の排気とを切り替えることに特徴を有するものである。
【００１８】
請求項６に記載の発明は、請求項５に記載の発明において、排気手段を備え、前記排気手段は、前記エアチューブ内の空気を前記第３弁を介して強制的に排気することに特徴を有するものである。
【００１９】
請求項７に記載の発明は、請求項３または４に記載の発明において、前記第１弁および前記第２弁は、二方電磁弁からなることに特徴を有するものである。
【００２０】
請求項８に記載の発明は、請求項５または６に記載の発明において、前記第３弁は、三方電磁弁からなることに特徴を有するものである。
【００２１】
請求項９に記載の発明は、請求項１から８の何れか１つに記載の発明において、前記給気手段は、コンプレッサーまたは空気ボンベからなることに特徴を有するものである。
【００２２】
請求項１０に記載の発明は、請求項４または６に記載の発明において，前記排気手段は、吸気ポンプまたは真空ポンプからなることに特徴を有するものである。
【００２３】
請求項１１に記載の発明は、請求項１から１０の何れか１つに記載の発明において，  前記エアチューブには、リリーフ弁が取り付けられていることに特徴を有するものである。
【００２４】
請求項１２に記載の発明は、請求項１から１１の何れか１つに記載の発明において，  前記エアチューブの両端上面は、端部に向かって下り斜面に形成されていることに特徴を有するものである。
【００２５】
請求項１３に記載の発明は、請求項１から１２の何れか１つに記載の発明において，  前記エアチューブの側面は、蛇腹状に形成されていることに特徴を有するものである。
【００２６】
請求項１４に記載の発明は、レールと踏切板との間に形成された隙間に嵌め込まれるエアチューブと、前記エアチューブ内に空気を供給する給気手段と、前記エアチューブ内の空気を排気する排気手段とを有するレール隙間充填装置を備えたことに特徴を有するものである。
【００２７】
請求項１５に記載の発明は、レールと踏切板との間に形成された隙間に嵌め込まれると共に列車の車輪と接触可能なエアチューブと、前記エアチューブ内に空気を供給する給気手段と、前記エアチューブ内の空気を排気する排気手段とを有するレール隙間充填装置と、遮断機とを備えたことに特徴を有するものである。
【００２８】
請求項１６に記載の発明は、請求項１５に記載の発明において、前記遮断機が上がっている間は、前記給気手段により前記エアチューブが膨らみ、前記遮断機が下りている間は、前記排気手段により前記エアチューブ内の空気が排気されて、前記エアチューブが収縮することに特徴を有するものである。
【００２９】
請求項１７に記載の発明は、請求項１４から１６の何れか１つに記載の発明において、前記給気手段は、コンプレッサーまたは空気ボンベからなることに特徴を有するものである。
【００３０】
請求項１８に記載の発明は、請求項１４から１６の何れか１つに記載の発明において、前記排気手段は、吸気ポンプまたは真空ポンプからなることに特徴を有するものである。
【発明の効果】
【００３１】
この発明によれば、レールと踏切板との間に形成された隙間に嵌め込まれるエアチューブを空気により膨らませることにより、前記隙間を確実に塞ぐことができるので、踏切を通行する歩行者の靴の踵や車椅子等の車輪が前記隙間に嵌まり込むことを未然に防止することができる。
【００３２】
また、この発明によれば、エアチューブ内の空気を排気することにより、列車通過時において、列車車輪のフランジがエアチューブに接触することを防止することができ、この結果、エアチューブの摩耗や損傷を軽減することができる。
【００３３】
また、この発明によれば、エアチューブ内の空気を排気手段により強制排気することにより、列車通過時において、列車車輪のフランジがエアチューブに接触することをより確実に防止することができる。
【００３４】
また、この発明によれば、エアチューブの両端上面を端部に向かって下り斜面に形成することによって、列車通過時において、列車車輪のフランジがエアチューブに接触しても接触力が急激ではなく、徐々に大きくなるようにできるので、エアチューブの摩耗や損傷を軽減することができる。
【００３５】
また、この発明によれば、エアチューブの側面を蛇腹状に形成することによって、エアチューブを円滑かつ確実に収縮させることができる。
【００３６】
また、この発明によれば、上記機能を有するレール隙間充填装置を備えることにより、遮断機が上がっている間は、エアチューブを膨らませることによって、レールと踏切板との間に形成された隙間を確実に塞ぐことができるので、踏切を通行する歩行者の靴の踵や車椅子等の車輪が前記隙間に嵌まり込むことを未然に防止することができる。一方、遮断機が下りている間は、エアチューブを収縮させることによって、列車通過時の列車車輪のフランジとの繰返しの接触によるエアチューブの摩耗や損傷のおそれを回避することができる。
【図面の簡単な説明】
【００３７】
【図１】この発明のレール隙間充填装置の構成図である。
【図２】この発明の別のレール隙間充填装置の構成図である。
【図３】この発明のさらに別のレール隙間充填装置の構成図である。
【図４】この発明のさらに別のレール隙間充填装置の構成図である。
【図５】この発明のさらに別のレール隙間充填装置の構成図である。
【図６】この発明のさらに別のレール隙間充填装置の構成図である。
【図７】図１のＡ−Ａ拡大断面図である。
【図８】この発明のレール隙間充填装置のエアチューブが設置された踏切を示す部分斜視図である。
【図９】この発明のレール隙間充填装置のエアチューブが設置された踏切を示す断面図である。
【図１０】コンプレッサのスイッチを入れた後の圧力変動を示すグラフである。
【図１１】コンプレッサのスイッチを切った後の圧力変動を示すグラフである。
【図１２】手押し台車横断時の状況を示す図であり、（ａ）は、エアチューブ無の状況を示す斜視図であり、（ｂ）は、エアチューブ有りの状況を示す斜視図である。
【図１３】手押し台車横断時の圧力変動を示すグラフである。
【図１４】錘の重量と圧力変動との関係を示すグラフである。
【図１５】列車通過時の圧力変動を示すグラフである。
【図１６】レールと踏切板との間に隙間が形成された踏切を示す部分斜視図である。
【発明を実施するための形態】
【００３８】
この発明のレール隙間充填装置の一実施形態を、図面を参照しながら説明する。
【００３９】
図１は、この発明のレール隙間充填装置の構成図、図７は、図１のＡ−Ａ拡大断面図、図８は、この発明のレール隙間充填装置のエアチューブが設置された踏切を示す部分斜視図、図９は、この発明のレール隙間充填装置のエアチューブが設置された踏切を示す断面図である。
【００４０】
図１、図７から図９において、１は、レール２と踏切板３との間に形成された隙間（Ｓ）に嵌め込まれるエアチューブである。エアチューブ１は、ゴム材等からなり、膨張時において直方体形状をなす。エアチューブ１は、図８では、隙間（Ｓ）の一部に嵌め込まれているが、実際には、歩行者が通行する領域に嵌め込む。４は、エアチューブ１内に空気を供給する給気手段である。給気手段４は、コンプレッサーまたは空気ボンベからなっている。５は、給気手段４の作動を制御する制御器である。６は、エアチューブ１に取り付けられたリリーフ弁であり、異常時にエアチューブ１内の空気を排気する。
【００４１】
このように構成されている、この発明のレール隙間充填装置のエアチューブ１を、図８、図９に示すように、レール２と踏切板３との間に形成された隙間（Ｓ）に嵌め込み、制御器５からの指令により給気手段４から空気をエアチューブ１内に供給して、エアチューブ１を膨らませれば、隙間（Ｓ）を塞ぐことができる。この結果、踏切を通行する歩行者の靴の踵や車椅子等の車輪が隙間（Ｓ）に嵌まり込むことを未然に防止することができる。
【００４２】
図２に、この発明の別のレール隙間充填装置の構成図を示す。このレール隙間充填装置は、図１に示すレール隙間充填装置に、エアチューブ１内の空気圧を調整する圧力調整器７を設けたものである。
【００４３】
このレール隙間充填装置によれば、圧力調整器７を設けることによって、エアチューブ１内の空気圧を適正に維持することができる。
【００４４】
図３に、この発明のさらに別のレール隙間充填装置の構成図を示す。このレール隙間充填装置は、図２に示すレール隙間充填装置に、制御器５により制御される第１弁８および第２弁９を設けたものである。第１弁８および第２弁９は、何れも二方電磁弁からなっている。第１弁８は、圧力調整器７からエアチューブ１への空気の供給と停止とを切り替える機能を有し、第２弁９は、エアチューブ１内の空気の排気と停止とを切り替える機能を有している。
【００４５】
このレール隙間充填装置によれば、エアチューブ１を膨らませる場合には、第１弁８が制御器５からの指令により、空気の供給側に切り替わり、圧力調整器７からの空気がエアチューブ１に供給される。一方、列車通過後、エアチューブ１を収縮させる場合には、第２弁９が制御器５からの指令により、空気の排気側に切り替わり、エアチューブ１内の空気が排気される。
【００４６】
図４に、この発明のさらに別のレール隙間充填装置の構成図を示す。このレール隙間充填装置は、図２に示すレール隙間充填装置の第２弁９の排気側に排気手段１０を設けたものである。排気手段１０は、吸気ポンプまたは真空ポンプからなっている。
【００４７】
このレール隙間充填装置によれば、列車通過後、エアチューブ１を収縮させる際に、エアチューブ１内の空気が排気手段１０により第２弁９を介して強制的に排気されるので、エアチューブ１の収縮時間が短縮される。この結果、列車通過時において、列車車輪のフランジがエアチューブに接触することをより確実に防止することができる。
【００４８】
図５、この発明のさらに別のレール隙間充填装置の構成図を示す。このレール隙間充填装置は、図３に示すレール隙間充填装置の第１弁８および第２弁９を、三方電磁弁からなる１つの第３弁１１に代えたものである。
【００４９】
このレール隙間充填装置によれば、エアチューブ１を膨らませる場合には、第３弁１１が制御器５からの指令により、空気の供給側に切り替わり、圧力調整器７からの空気がエアチューブ１に供給される。一方、列車通過後、エアチューブ１を収縮させる場合には、第３弁１１が制御器５からの指令により、空気の排気側に切り替わり、エアチューブ１内の空気が排気される。
【００５０】
図６、この発明のさらに別のレール隙間充填装置の構成図を示す。このレール隙間充填装置は、図５に示すレール隙間充填装置の第３弁１１の排気側に排気手段１０を設けたものである。排気手段１０は、吸気ポンプまたは真空ポンプからなっている。
【００５１】
このレール隙間充填装置によれば、列車通過後、エアチューブ１を収縮させる際に、エアチューブ１内の空気が排気手段１０により第３弁１１を介して強制的に排気されるので、エアチューブ１の収縮時間が短縮される。この結果、列車通過時において、列車車輪のフランジがエアチューブに接触することをより確実に防止することができる。
【００５２】
図１中、点線で示すように、エアチューブ１の両端上面を、端部に向かって下り斜面に形成することによって、列車通過時において、万一、列車車輪のフランジがエアチューブに接触しても接触力が急激ではなく、徐々に大きくなるようにできるので、エアチューブの摩耗や損傷を軽減することができる。
【００５３】
エアチューブ１の側面を、図７中、点線で示すように、蛇腹状に形成することによって、エアチューブ１を円滑かつ確実に収縮させることができる。
【００５４】
次に、この発明のレール隙間充填装置の効果を実証するために実施した試験について説明する。
【００５５】
図１に示すように構成される、長さ５００ｍｍ、高さ１５０ｍｍ、幅７０ｍｍの直方体形状のゴム製エアチューブ１を作製し、エアチューブ１に圧力センサを接続した。そして、エアチューブ１を、図８、図９に示すように、レール２と踏切板３との間に形成された隙間（Ｓ）に嵌め込んで、以下の試験を実施した。なお、エアチューブ１には、排気手段を設けずに排気するようにした。
【００５６】
（１）給気手段４を作動させてから所定圧力（１０ｋＰａ、２０ｋＰａ、３０ｋＰａ）に達するまでの時間を計測するとともに、給気手段４の作動を停止させてから０ｋＰａに戻るまでの時間を計測した。
（２）エアチューブ１を膨らませた状態で、エアチューブ１上を、錘１４を乗せた手押し台車１２を横断させて（図１２参照）、エアチューブ１内の空気の圧力変動を計測した。
（３）給気手段４の作動を停止させた状態および膨らませた状態で列車を通過させて、エアチューブ１内の空気の圧力変動を計測した。
【００５７】
上記（１）の試験結果は、以下の通りであった。
【００５８】
図１０に、給気手段４を作動させた後の圧力の変動を示し、図１１に、給気手段４の作動を停止させた後の圧力の変動を示す。給気手段４を作動させた後、所定の圧力に達するまでの時間および給気手段４の作動を停止させた後、０ｋＰａに戻るまでに要する時間は、全ての圧力でほぼ同等であり、共に１５秒程度であった。
【００５９】
上記（２）の試験結果は、以下の通りであった。
【００６０】
所定の圧力で膨らませたエアチューブ１上を、手押し台車１２を横断させ、そのときの状況を評価するとともに、エアチューブ１内の空気の圧力変動を計測した。手押し台車１２の車輪１３の径は、約１００ｍｍであるために、エアチューブ１がない場合には、レール２と踏切板３との間に形成された隙間（Ｓ）に車輪１３が入り込んで横断時の障害になる（図１２参照）。
【００６１】
本試験では、手押し台車１２上に乗せる錘１４を１０ｋｇずつ、最大１００ｋｇまで増やした。手押し台車１２の横断時の状況を図１２に示す。エアチューブ１は、２０ｋＰａの圧力で膨らませ、５０ｋｇの錘１４を積んだ手押し台車１２を横断させた際の状況である。
【００６２】
エアチューブ１がない場合には、図１２（ａ）に示すように、手押し台車１２の車輪１３が隙間（Ｓ）に入り込むのに対して、エアチューブ１がある場合には、図１２（ｂ）に示すように、手押し台車１２の車輪１３は、隙間（Ｓ）に入り込まず、エアチューブ１上を通過することができた。
【００６３】
次に、１０ｋＰａの圧力でエアチューブ１を膨らませ、１０ｋｇの錘１４を積んだ手押し台車１２を横断させた際のエアチューブ１内の空気の圧力変動を図１３に示し、錘１４の重さと圧力変動の最大値との関係を図１４に示す。
【００６４】
図１３に示すように、手押し台車１２の車輪１３（前輪および後輪）の通過の際に圧力が増加している。これは、車輪１３が通過する際に、エアチューブ１の体積が縮小するためである。
【００６５】
図１４に示すように、錘１４の重量と圧力変動との関係からは、錘１４の重量の増加とともに、圧力の増加変動が大きくなることが分かる。これは、錘１４の重量の増加に伴い車輪１３がエアチューブ１を押す力が増加して、エアチューブ１の体積の縮小量が増加するためである。
【００６６】
エアチューブ１上を通過することができた錘１４の重量は、圧力が１０ｋＰａの場合で６０ｋｇまで、２０ｋＰａの場合で７０ｋｇまで、３０ｋＰａの場合は、１００ｋｇの錘１４を乗せても通過が可能であった。
【００６７】
３０ｋＰａの圧力で膨らませたエアチューブ１上を、１００ｋｇの錘１４を乗せても通過した際の圧力変動は、約１３ｋＰａであり、エアチューブ１内の圧力は、最大で約４５ｋＰａの圧力となった。事前の耐圧試験では、５０ｋＰａまでの耐圧性能が確認されている。
【００６８】
上記（３）の試験結果は、以下の通りであった。
【００６９】
列車が通過する際は、エアチューブ１内の空気を排気して、エアチューブ１内の圧力が０ｋＰａの状態にして通過させた。ただし、本試験では、エアチューブ１内の圧力を高めた状態でも列車通過時の圧力変動を計測した。図１５に、列車通過時の圧力変動を示す。
【００７０】
この結果、エアチューブ１内の圧力が高い状態でも列車の通過は可能であった。一方、エアチューブ１内の圧力が０ｋＰａであっても圧力が変動している。これは、エアチューブ１内の圧力が０ｋＰａであってもエアチューブ１が直方体形状を保ち、車輪のフランジと接触するためである。
【００７１】
以上の試験結果から、以下のような知見を得た。
【００７２】
（ａ）エアチューブ１内に給気し、所定の圧力に達するまでの時間およびエアチューブ１内の空気を排気し、０ｋＰａの圧力に戻るのに要する時間は、ともに約１５秒であった。
（ｂ）エアチューブ１上を、錘１４を乗せた手押し台車１２を横断させた結果、空気圧が３０ｋＰａの場合、１００ｋｇ以上の錘１４を乗せても通過が可能であった。
（ｃ）エアチューブ１上を列車を通過させた結果、エアチューブ１内の圧力が高い場合でも、支障なく通過できる。
【００７３】
この発明は、上記知見に基づきなされたものであり、以下のような効果がもたらされる。
【００７４】
レール２と踏切板３との間に形成された隙間（Ｓ）に嵌め込まれるエアチューブ１を空気により膨らませることにより、隙間（Ｓ）を確実に塞ぐことができるので、踏切を通行する歩行者の靴の踵や車椅子等の車輪が前記隙間に嵌まり込むことを未然に防止することができる。
【００７５】
また、この発明によれば、エアチューブ１内の空気を排気することにより、列車通過時において、列車車輪のフランジがエアチューブ１に接触することを防止することができ、この結果、エアチューブの摩耗や損傷を軽減することができる。
【００７６】
また、この発明によれば、エアチューブ１内の空気を排気手段１０により強制排気することにより、列車通過時において、列車車輪のフランジがエアチューブに接触することをより確実に防止することができる。
【００７７】
また、この発明によれば、エアチューブ１の両端上面を端部に向かって下り斜面に形成することによって、列車通過時において、列車車輪のフランジがエアチューブ１に接触しても接触力が急激ではなく、徐々に大きくなるようにできるので、エアチューブ１の摩耗や損傷を軽減することができる。
【００７８】
また、この発明によれば、エアチューブ１の側面を蛇腹状に形成することによって、エアチューブ１を円滑かつ確実に収縮させることができる。
【００７９】
次に、この発明のレール隙間充填装置を備えた踏切について説明する。
【００８０】
この発明のレール隙間充填装置を踏切に設置し、遮断機の開閉とエアチューブ１への空気の供給と、エアチューブ１からの空気の排気とを連動させることによって、以下のような踏切を設置することができる。
【００８１】
遮断機が上がっている間は、エアチューブ１を膨らませて、レール２と踏切板３との間に形成された隙間（Ｓ）を塞ぐことにより、踏切を通行する歩行者の靴の踵や車椅子等の車輪が隙間（Ｓ）に嵌まり込むことを未然に防止することができる。
【００８２】
一方、遮断機が下りている間は、エアチューブ１を収縮させることにより、列車通過時の列車車輪のフランジとの繰返しの接触によるエアチューブ１の摩耗や損傷のおそれを回避することができる。
【符号の説明】
【００８３】
１：エアチューブ
２：レール
３：踏切板
４：給気手段
５：制御器
６：リリーフ弁
７：圧力調整器
８：第１弁
９：第２弁
１０：排気手段
１１：第３弁
１２：手押し台車
１３：車輪
１４：錘
【図１】
0006667295.tif 000002
【図２】
0006667295.tif 000003
【図３】
0006667295.tif 000004
【図４】
0006667295.tif 000005
【図５】
0006667295.tif 000006
【図６】
0006667295.tif 000007
【図７】
0006667295.tif 000008
【図８】
0006667295.tif 000009
【図９】
0006667295.tif 000010
【図１０】
0006667295.tif 000011
【図１１】
0006667295.tif 000012
【図１２】
0006667295.tif 000013
【図１３】
0006667295.tif 000014
【図１４】
0006667295.tif 000015
【図１５】
0006667295.tif 000016
【図１６】
0006667295.tif 000017